(57)【要約】【課題】施工性を向上することができるとともに、意匠性や防水性を高めることができるケラバ水切りを提供する。【解決手段】屋根下地の端部とこの上に葺設された屋根材の端部とを覆うケラバカバー材１と、ケラバカバー材１の軒先端部に設けられるケラバ軒先カバー材２とを備える。ケラバ軒先カバー材２は、ケラバカバー材１の垂直片１１の内面に当接される固定片２１と、固定片２１の一方の側端縁から固定片２１と直角にかつケラバカバー材１の上カバー片１２と略同幅となるよう延設される前カバー片２２と、前カバー片２２の固定片２１との接辺２２０を除く各辺２２１，２２２，２２３から折り曲げ可能に延設されるフラップ片２３とを備える。少なくとも前カバー片２２の固定片２１と隣り合う二辺２２１，２２２に設けたフラップ片２３１、２３２が、同一形状に形成されている。【選択図】図１
2015148082.tif 000002
【特許請求の範囲】
【請求項１】
屋根下地の端部とこの上に葺設された屋根材の端部とを覆うケラバカバー材と、前記ケラバカバー材の軒先端部に設けられるケラバ軒先カバー材とを備えたケラバ水切りであって、
前記ケラバカバー材は、金属板からなり、前記屋根下地の端面部を覆う垂直片と、前記垂直片の上端縁から直角に延設される上カバー片と、前記上カバー片の先端縁から前記垂直片の方に向かうように前記上カバー片の下面側に延設される屋根材端部上カバー片と、前記屋根材端部上カバー片の先端縁から前記垂直片と平行にかつ前記垂直片の下端位置より上方まで延設される屋根材端部縦カバー片と、前記屋根材端部縦カバー片の下端縁から前記上カバー片と平行にかつ前記屋根材端部上カバー片側に延設される水平片とを備え、
前記ケラバ軒先カバー材は、金属板からなり、前記ケラバカバー材の前記垂直片の内面に当接される固定片と、前記固定片の一方の側端縁から前記固定片と直角にかつ前記ケラバカバー材の前記上カバー片と略同幅となるよう延設される前カバー片と、前記前カバー片の前記固定片との接辺を除く各辺から折り曲げ可能に延設されるフラップ片とを備え、
少なくとも前記前カバー片の前記固定片と隣り合う二辺に設けたフラップ片が、同一形状に形成されていることを特徴とするケラバ水切り。
【請求項２】
前記ケラバ軒先カバー材の前記前カバー片の下端縁が、施工時において、前記屋根下地の一部を構成する野地板の下面と前記ケラバカバー材の前記垂直片の下端縁の間に位置するよう形成されているとともに、前カバー片の前記固定片と隣り合わない辺に設けた前記フラップ片が前記ケラバカバー材の前記屋根材端部上カバー片の延設長さ以上の幅寸法に形成されている請求項１に記載のケラバ水切り。
【請求項３】
前記ケラバ軒先カバー材の前記前カバー片の前記固定片と隣り合う二辺に設けた前記フラップ片が、施工時、下方に位置する側の前記フラップ片を内側に折り上げた場合において、前記フラップ片の上端縁が前記水平片の上面以上に位置する幅寸法に形成されていることを特徴とする請求項１又は２に記載のケラバ水切り。
【請求項４】
前記ケラバカバー材および前記ケラバ軒先カバー材は、外面に耐侯性を有する被覆がなされた金属板で形成されていることを特徴とする請求項１乃至３のいずれか一項に記載のケラバ水切り。
【請求項５】
請求項１乃至４のいずれか一項に記載のケラバ水切りが、前記ケラバカバー材の軒先端部に前記ケラバ軒先カバー材を挿入し、前記ケラバカバー材の前記垂直片の外方から前記ケラバ軒先カバー材の固定片を介して前記屋根下地に釘等の固定具により固定されており、
前記ケラバ軒先カバー材の前記固定片は、前記ケラバカバー材の前記垂直片の内面に当接され、
前記ケラバ軒先カバー材の上方に位置する前記フラップ片は、前記ケラバカバー材の前記上カバー片の内面に当接されるとともに、前記ケラバカバー材の前記上カバー片と前記屋根材端部上カバー片との間に挿入され、
前記ケラバ軒先カバー材の下方のフラップ片および前記固定片と隣り合わない辺に設けたフラップ片は、前記前カバー片の内面に当接するよう内側に折り返されていることを特徴とするケラバ水切りの取り付け構造。
【請求項６】
前記ケラバ軒先カバー材の上方に位置する前記フラップ片と前記ケラバカバー材の前記上カバー片の内面とが接着剤で固定され、前記ケラバ軒先カバー材が前記ケラバカバー材と一体化された状態で、前記屋根下地に固定されていることを特徴とする請求項５に記載のケラバ水切りの取り付け構造。
【発明の詳細な説明】
【技術分野】
【０００１】
本発明は、建築物のケラバ（螻羽）に設けられるケラバ水切り及びその取り付け構造に関する。
【背景技術】
【０００２】
従来、建築物のケラバには屋根下地の端部に葺設された屋根材の端部付近と屋根下地とを覆うようにケラバ水切りが設けられている。このケラバ水切りは、例えば、特許文献１に記載のように、ケラバカバー材とケラバ軒先カバー材とを備え、屋根下地に釘等の固定具により固定され、建築物の意匠性を高めるとともに、屋根下地の端部付近の防水性を高めている。
【先行技術文献】
【特許文献】
【０００３】
【特許文献１】特開２００２−２４２３９５号公報
【発明の概要】
【発明が解決しようとする課題】
【０００４】
しかし、特許文献１に記載のものでは、ケラバ軒先カバー材が左右勝手部材として形成されるため、すなわち、ケラバ軒先カバー材が左右（屋根勾配と直交する方向）の一方の軒先端部にのみ取り付け可能とされ、左右勝手が存在するため、施工時や部材を手配する際などに非常に煩雑となりやすかった。
【０００５】
また、このように予め成形されたケラバ軒先カバー材を用いることなく、ケラバカバー材を現場で切断し、折り曲げ加工して施工することも行われているが、意匠性や防水性が職人の技術に大きく左右されることになる。
【０００６】
本発明は上記の点に鑑みてなされたものであり、施工性を向上することができるとともに、意匠性や防水性を高めることができるケラバ水切り及びその取り付け構造を提供することを目的とする。
【課題を解決するための手段】
【０００７】
本発明に係るケラバ水切りは、屋根下地の端部とこの上に葺設された屋根材の端部とを覆うケラバカバー材と、前記ケラバカバー材の軒先端部に設けられるケラバ軒先カバー材とを備えたケラバ水切りであって、
前記ケラバカバー材は、金属板からなり、前記屋根下地の端面部を覆う垂直片と、前記垂直片の上端縁から直角に延設される上カバー片と、前記上カバー片の先端縁から前記垂直片の方に向かうように前記上カバー片の下面側に延設される屋根材端部上カバー片と、前記屋根材端部上カバー片の先端縁から前記垂直片と平行にかつ前記垂直片の下端位置より上方まで延設される屋根材端部縦カバー片と、前記屋根材端部縦カバー片の下端縁から前記上カバー片と平行にかつ前記屋根材端部上カバー片側に延設される水平片とを備え、
前記ケラバ軒先カバー材は、金属板からなり、前記ケラバカバー材の前記垂直片の内面に当接される固定片と、前記固定片の一方の側端縁から前記固定片と直角にかつ前記ケラバカバー材の前記上カバー片と略同幅となるよう延設される前カバー片と、前記前カバー片の前記固定片との接辺を除く各辺から折り曲げ可能に延設されるフラップ片とを備え、
少なくとも前記前カバー片の前記固定片と隣り合う二辺に設けたフラップ片が、同一形状に形成されていることを特徴とする。
【０００８】
前記ケラバ水切りにおいて、前記ケラバ軒先カバー材の前記前カバー片の下端縁が、施工時において、前記屋根下地の一部を構成する野地板の下面と前記ケラバカバー材の前記垂直片の下端縁の間に位置するよう形成されているとともに、前カバー片の前記固定片と隣り合わない辺に設けた前記フラップ片が前記ケラバカバー材の前記屋根材端部上カバー片の延設長さ以上の寸法に形成されていることが好ましい。
【０００９】
前記ケラバ水切りにおいて、前記ケラバ軒先カバー材の前記前カバー片の前記固定片と隣り合う二辺に設けた前記フラップ片が、施工時、下方に位置する側の前記フラップ片を内側に折り上げた場合において、前記フラップ片の上端縁が前記水平片の上面以上に位置する寸法に形成されていることが好ましい。
【００１０】
前記ケラバ水切りにおいて、前記ケラバカバー材および前記ケラバ軒先カバー材は、外面に耐侯性を有する被覆がなされた金属板で形成されていることが好ましい。
【００１１】
本発明に係るケラバ水切りの取り付け構造は、
前記ケラバ水切りが、前記ケラバカバー材の軒先端部に前記ケラバ軒先カバー材を挿入し、前記ケラバカバー材の前記垂直片の外方から前記ケラバ軒先カバー材の固定片を介して前記屋根下地に釘等の固定具により固定されており、
前記ケラバ軒先カバー材の前記固定片は、前記ケラバカバー材の前記垂直片の内面に当接され、
前記ケラバ軒先カバー材の上方に位置する前記フラップ片は、前記ケラバカバー材の前記上カバー片の内面に当接されるとともに、前記ケラバカバー材の前記上カバー片と前記屋根材端部上カバー片との間に挿入され、
前記ケラバ軒先カバー材の下方のフラップ片および前記固定片と隣り合わない辺に設けたフラップ片は、前記前カバー片の内面に当接するよう内側に折り返されていることを特徴とする。
【００１２】
前記ケラバ水切りの取り付け構造において、前記ケラバ軒先カバー材の上方に位置する前記フラップ片と前記ケラバカバー材の前記上カバー片の内面とが接着剤で固定され、前記ケラバ軒先カバー材が前記ケラバカバー材と一体化された状態で、前記屋根下地に固定されていることが好ましい。
【発明の効果】
【００１３】
本発明によれば、ケラバカバー材とケラバ軒先カバー材のいずれもが、左右勝手のない形状とされていることによって、施工性を向上することができるとともに、意匠性や防水性を高めることができる。
【図面の簡単な説明】
【００１４】
【図１】ケラバ水切りの一例を示す分解した斜視図である。
【図２】ケラバカバー材の他の一例を示す斜視図である。
【図３】ケラバ軒先カバー材の一例を示すものであり、（ａ）は正面図、（ｂ）は平面図、（ｃ）は底面図、（ｄ）は右側面図、（ｅ）は左側面図、（ｆ）は背面図である。
【図４】ケラバ水切りの施工状態の一例を示す概略図である。
【図５】屋根下地の一例を示す斜視図である。
【図６】ケラバ水切りの施工状態の一例を示す断面図である。
【図７】ケラバカバー材の接続状態の一例を示す斜視図である。
【発明を実施するための形態】
【００１５】
以下、本発明の実施の形態を説明する。
【００１６】
図１乃至図４は本実施の形態のケラバ水切りの一例を示す。
【００１７】
このケラバ水切りは、特に切妻屋根の妻側の端部であるケラバを化粧するのに好適に用いられるカバーであり、屋根下地の妻側の端部に沿って葺設された屋根材３の端部（ケラバ側端部）付近と屋根下地の妻側の端部とを覆うケラバカバー材１と、前記ケラバカバー材１の軒先端部に設けられるケラバ軒先カバー材２とを備えている。
【００１８】
ケラバカバー材１とケラバ軒先カバー材２は、例えば、５５％アルミ−亜鉛合金めっき鋼板の外面にフッ素塗装を施した高耐侯性の被覆面を有する金属板を折り曲げ加工して形成される。高耐候性の被覆面は、雨水や太陽光による劣化が少ない塗膜で形成されることが好ましい。
【００１９】
ケラバカバー材１は、例えば、長尺矩形状の金属板を折り曲げ加工して形成される。
【００２０】
垂直片１１は、金属板の一方の長辺を下方にした状態で、屋根下地４を構成するのぼり木５、野地板４１、破風６の上部を側方から覆うことが可能な寸法を残して、金属板をその長辺と平行な折り目に沿って直角に折り曲げることにより形成される。垂直片１１はその外面（屋根下地４と反対側を向く面）に高耐候性の被覆面を設けられていることが好ましい。本明細書において「直角」とは、厳密な意味での直角ではなく、略直角の概念も含むものである。
【００２１】
上カバー片１２は、垂直片１１の上端縁が折り曲げられて直角（水平）に延設された状態で、のぼり木５、屋根材３の端部を上方から覆うことが可能な寸法を残して、金属板をその長辺と平行な折り目に沿って略二直角に折り曲げることにより形成される。上カバー片１２はその外面（上面）に高耐候性の被覆面を設けられていることが好ましい。本明細書において「平行」とは、厳密な意味での平行ではなく、略平行の概念も含むものである。
【００２２】
屋根材端部上カバー片１３は、上カバー片１２の先端縁が折り曲げられて垂直片１１に向かうよう略水平に延設された状態で、屋根材３の端部を上方から覆うことが可能な寸法を残して、金属板をその長辺と平行な折り目に沿って略直角に折り曲げることにより形成される。屋根材端部上カバー片１３はその外面（下面）に高耐候性の被覆面を設けられていることが好ましい。
【００２３】
屋根材端部縦カバー片１４は、屋根材端部上カバー片１３の先端縁が折り曲げられて垂直下方に延設された状態で、屋根材３とのぼり木５の間に位置することが可能な寸法を残して、金属板をその長辺と平行な折り目に沿って直角に折り曲げることにより形成される。屋根材端部縦カバー片１４はその外面（施工時に屋根材３の方に向く面）に高耐候性の被覆面を設けられていることが好ましい。
【００２４】
水平片１５は、屋根材端部縦カバー片１４の下端縁が折り曲げられて水平に延設された状態で、屋根下地４上のケラバ付近を棟側から軒側へと流下する雨水を導くことが可能な寸法に形成される。水平片１５はその外面（施工時に上面）に高耐候性の被覆面を設けられていることが好ましい。
【００２５】
垂直片１１は、下端縁部を内側にハゼ折り（ヘミング曲げ）とすることが好ましい。上カバー片１２と屋根材端部上カバー片１３の内面同士は、金属板が挿入可能な程度に隙間を設けることが望ましい。屋根材端部上カバー片１３は、屋根材端部縦カバー片１４に向かって下り傾斜とすることが好ましく、雨水が屋根材端部上カバー片１３の外面（下面）に留まることなく流下しやすくなるものである。水平片１５は、長辺端縁部を外面（上面）側にハゼ折りとすることが好ましい。水平片１５は、長手方向（施工時軒棟方向）の全長にわたって複数本の凸条１５１が上面に突出して形成されており、屋根下地４上のケラバ付近を棟側から軒側へと流下する雨水を効率よく導くことができるものである。本実施形態においては、６本の凸条１５１が３本ずつ離反（離間）して形成されている。
【００２６】
上記のケラバカバー材１は一部材で形成されているが、ケラバカバー材１は、複数の部材を組み合わせて構成されてもよい。例えば、図２に示すように、カバー部１１１と水切り部１１２の二つの部材を組み合わせて構成することができる。カバー部１１１は、金属板が略Ｌ字状に折り曲げ加工されて垂下片１１と上カバー片１２と屋根材端部上カバー片１３が形成されている。垂下片１１の下端縁部と屋根材端部上カバー片１３の下端縁部（先端部）は、ハゼ折りとすることが好ましい。水切り部１１２は、金属板が略Ｌ字状に折り曲げ加工されて屋根材端部縦カバー片１４と水平片１５、屋根材端部縦カバー片１４の上端縁から水平片１５と平行に係止片１６が延設されている。屋根材端部縦カバー片１４と係止片１６の長辺側端縁は、ハゼ折りとすることが好ましい。ケラバカバー材１は、取り付けの際、水切り部１１２が屋根下地４に釘等の固定具により固定され、水切り部１１２の係止片１６にカバー部１１１の屋根材端部上カバー片１３が係止され、カバー部１１１が屋根下地４に釘等の固定具により固定される。
【００２７】
ケラバ軒先カバー材２は、例えば、金属板を平面視略Ｔ字状の所定形状に切断した後、折り曲げ加工して形成される。
【００２８】
固定片２１は、ケラバカバー材１の軒先端部方向から挿入されて垂直片１１の内面に当接（接触）されるものであり、挿入しやすくするように、後端部（棟側端部）の方向に向かってやや幅狭な略長方形形状に形成されるとともに、棟側の両角部が円弧状に形成されている。固定片２１は、上下方向の最大幅がケラバカバー材１の垂下片１１の上下幅と略同等とされ、垂直片１１の下端縁部のハゼ折り内に差し込んで挟持可能に形成されることが好ましい。
【００２９】
前カバー片２２は、固定片２１の軒側先端縁から高耐侯性の被覆面を外側（前面）にして折り曲げられ、ケラバカバー材１の上カバー片１２の軒側先端縁からケラバカバー材１の垂下片１１の下端付近までの前面を覆うことが可能な寸法に形成されている。すなわち、前カバー片２２はケラバカバー材１の上カバー片１２と略同幅となるように形成されている。前カバー片２２は長方形形状であり、固定片２１と接する辺２２０を除く各辺（三辺２２１、２２２、２２３）には折り曲げ可能にフラップ片２３が形成されている。
【００３０】
三つのフラップ片２３のうち、前カバー片２２の固定片２１と接する辺２２０と隣り合う二辺２２１，２２２に延設されたフラップ片２３１、２３２、即ち、ケラバ軒先カバー材２の上下に位置するフラップ片２３１、２３２は同一形状に形成されている。上下に位置するフラップ片２３１、２３２は、取り付けられるケラバの向きによって上下反転する。取り付けられる際、上側に位置するフラップ片２３１の一部は、ケラバカバー材１の上カバー片１２と屋根材端部上カバー片１３の内面同士の間に設けられた隙間に差し込まれることが好ましい。
【００３１】
上下に位置するフラップ片２３１、２３２は、固定片２１側の辺を斜めに切り取った台形形状に形成されている。ケラバ軒先カバー材２がケラバカバー材１に取り付けられる際、下側に位置するフラップ片２３２は、内側（前カバー２２の裏面側）に折り上げられるものであるが、この場合、フラップ片２３２の辺２２２からの突出長さ（台形形状における高さ）Ｌ３は、フラップ片２３２の上端縁（即ち台形形状の上底）がケラバカバー材１の水平片１５の上面以上の位置に配設されるような寸法に形成されることが好ましい。尚、「折り上げられる」とは、上方に向かって折り曲げられることを意味する。
【００３２】
固定片２１を延設した辺２２０と隣り合わない辺２２３（対向する接辺）に位置するフラップ片２３３は、等脚台形形状に形成されている。ケラバ軒先カバー材２がケラバカバー材１に取り付けられる際、フラップ片２３３は、内側（前カバー２２の裏面側）に折り曲げられるものであるが、この場合、フラップ片２３３の辺２２３からの突出長さ（台形形状における高さ）Ｌ１は、ケラバカバー材１の屋根材端部上カバー片１３の延設長さＬ２以上の寸法であることが好ましい。このようにすると、内側に折り曲げたフラップ片２３３の側端縁（即ち台形形状の上底）が、ケラバカバー材１の屋根材端部上カバー片１３の先端及び屋根材端部縦カバー片１４よりも垂直片１１側に位置することになり、防水性が向上することになる。
【００３３】
本実施の形態のケラバ水切りは、例えば、図５乃至図７に示すように屋根下地４の妻側（ケラバ）に取り付けられる。
【００３４】
屋根下地４は、例えば、垂木４４、野地板４１、破風４３、化粧破風板４３１、のぼり木４２、下葺材４５、下葺材増張り４５１を備えている。野地板４１は、複数本平行に配される垂木４４の上に固定される。最もケラバに位置する垂木４４の外側に破風４３が固定され、破風４３の外側に化粧破風板４３１が固定される。野地板４１の妻側端部は、化粧破風板４３１よりも外方に位置している。下葺材４５は、防水性を確保するものであり、野地板４１の表面側全面にわたって設けられる。のぼり木４２は、野地板４１の妻側端縁に沿わせて軒棟方向の全長にわたって設けられる。下葺材増張り４５１は、のぼり木４２の上面からのぼり木４２の近傍の下葺材４５の上に至るよう設けられる。
【００３５】
ケラバ水切りは、屋根下地４のケラバに取り付けられる前に、予め、ケラバカバー材１とケラバ軒先カバー材２とを一体とすることが好ましい。ケラバ軒先カバー材２は、下側に位置するフラップ片２３２が内側に折り上げられて前カバー片２２の内面（棟側に向く方の面）に当接される。これにより、フラップ片２３２の外面に高耐候性の被覆面が露出することになる。また、固定片２１を延設した辺２２０と隣り合わない辺２２３に位置するフラップ片２３３が内側に折り曲げられて、先に内側に折り上げられている下側に位置するフラップ片２３２の外面および前カバー片２２の内面に当接される。これにより、フラップ片２３２の外面に高耐候性の被覆面が露出することになる。この後、ケラバ軒先カバー材２は、ケラバカバー材１の軒側端部から挿入され、ケラバ軒先カバー材２の固定片２１の外面がケラバカバー材１の垂下片１１の内面に当接されるとともに、固定片２１の下端縁の一部が垂下片１１の下端縁部のハゼ折り内に差し込まれて挟持される。また、ケラバ軒先カバー材２は、上側に位置するフラップ片２３１の上面がケラバカバー材１の上カバー片１２の下面に当接されるとともに、その一部が、ケラバカバー材１の上カバー片１２と屋根材端部上カバー片１３の内面同士の間に設けられた隙間に差し込まれる。ケラバ軒先カバー材２の上側に位置するフラップ片２３１の上面がケラバカバー材１の上カバー片１２の下面に当接される際、いずれかの面に予め接着剤が塗布されていて接着固定されてもよい。ケラバカバー材１は、軒側端部における屋根材端部上カバー片１３から水平片１５に至る開放面が、ケラバ軒先カバー材２の固定片２１を延設した辺２２０と隣り合わない辺２２３に設けたフラップ片２３３の耐侯性を有する被覆がなされた外面により覆われる。そのため、ケラバカバー材１の水平片１５の上面を棟側から軒側へと流下する雨水は耐侯性を有する被覆がなされた外面に当たることとなるので、ケラバ軒先カバー材２の劣化を抑制することができるものである。ケラバカバー材１とケラバ軒先カバー材２が予め一体化されたケラバカバー材１は、ケラバカバー材１の垂直片１１、上カバー片１２、屋根材端部上カバー片１３および屋根材端部上カバー片１４により形成される空間部にのぼり木４２が納まるように、ケラバに取り付けられる。
【００３６】
ケラバカバー材１とケラバ軒先カバー材２は、ケラバカバー材１の垂直片１１の外方からケラバ軒先カバー材２の固定片２１を介して（貫通して）のぼり木４２に釘等の固定具により固定される。このようにしてケラバ水切りを取り付けると、ケラバ軒先カバー材２は、内側に折り上げられる下方に位置する側のフラップ片２３２の上端縁が野地板４１の上面よりも上方に突出して設けられる。
【００３７】
ケラバ水切りは、複数のケラバカバー材１を軒棟方向に接続して長尺に形成することができる。ケラバカバー材１の軒側端部を他のケラバカバー材１の棟側端部に接続する場合は、軒側に位置するケラバカバー材１の棟側端部の一部の角部を切り落とて切除部１１１を形成した後、棟側に位置するケラバカバー材１の軒側端部に挿入するようにする。これにより、複数のケラバカバー材１の接続が行い易くなる。
【００３８】
ケラバカバー材１及びケラバ軒先カバー材２は、左右勝手のない部材として形成される。従って、左右異なる側のケラバ（例えば、切妻屋根の一方の妻側の端部と他方の妻側端部）の両方に、同一形状のケラバカバー材１とケラバ軒先カバー材２とを適用することができる。すなわち、異なる側のケラバにケラバ水切りを取り付ける場合、一方側のケラバに取り付けるケラバカバー材１と、他方側のケラバに取り付けるケラバカバー材１とは、軒側端部と棟側端部とを入れ替えるように、軒棟反転させればよい。また、一方側のケラバに取り付けるケラバ軒先カバー材２と、他方側のケラバに取り付けるケラバ軒先カバー材２とは、上下反転させるとともに、下方に位置する側のフラップ片２３を内側に折り上げればよい。すなわち、一方側のケラバに取り付けるケラバ軒先カバー材２は、下方に位置する側のフラップ片２３１が内側に折り上げられ、他方側のケラバに取り付けるケラバ軒先カバー材２は、下方に位置する側のフラップ片２３２が内側に折り上げられる。
【００３９】
屋根材３は、屋根下地４にケラバカバー材１とケラバ軒先カバー材２を取り付けた後に軒側から棟側に向かって順次葺設される。屋根材３は、最もケラバ側に位置する屋根材３の端部がケラバカバー材１の屋根材端部上カバー片１４との間に僅かな隙間を設けて、ケラバカバー材１の屋根材端部上カバー片１３の下方に位置するよう葺設される。
【００４０】
尚、本実施の形態においては、のぼり木４２や化粧破風板４３１を有する屋根下地４としたが、これに限られるものではない。
【符号の説明】
【００４１】
１  ケラバカバー材
１１  垂直片
１２  上カバー片
１３  屋根材端部上カバー片
１４  屋根材端部縦カバー片
１５  水平片
２  ケラバ軒先カバー材
２１  固定片
２２  前カバー片
２３、２３１、２３２、２３３  フラップ片
３  屋根材
４  屋根下地
４１  野地板
【図１】
2015148082.tif 000003
【図２】
2015148082.tif 000004
【図３】
2015148082.tif 000005
【図４】
2015148082.tif 000006
【図５】
2015148082.tif 000007
【図６】
2015148082.tif 000008
【図７】
2015148082.tif 000009